(57)【要約】【課題】室内に温水コンセント等の接続口が設置されていない場合であっても、新たな温水暖房端末装置を簡単に増設することができるようにする。【解決手段】温水暖房熱源機１０と浴室Ｂ内に設置された浴室暖房乾燥機２０とが外部配管３１、３２を介して接続されたものであり、温水暖房熱源機１０によって生成された温水を浴室暖房乾燥機２０に循環供給することで、浴室Ｂ内を暖房するようになっている。浴室暖房乾燥機２０は、循環ファン２１による浴室Ｂ内の空気の循環経路中に配置された熱交換器２２を備えており、熱交換器２２は、温水往き主管２３ａ及び温水戻り主管２３ｂを介して、外部配管３１、３２に接続されている。温水往き主管２３ａ及び温水戻り主管２３ｂからは、温水往き枝管２５ａ及び温水戻り枝管２５ｂがそれぞれ分岐しており、これらは浴室暖房乾燥機２０のケーシングに固定設置された温水コンセント２６に接続されている。【選択図】　　　　図１
2004132585.tif 000002
【特許請求の範囲】
【請求項１】
温水暖房熱源機によって循環供給される温水を利用して暖房を行う温水暖房端末装置であって、
温水の循環経路を構成する温水往き主管及び温水戻り主管と、
前記温水往き主管及び前記温水戻り主管からそれぞれ分岐した、温水往き枝管及び温水戻り枝管と、
前記温水往き枝管及び前記温水戻り枝管の端末に設けられた、外部温水管を接続可能な温水接続口とを備え、
前記温水接続口は、外部温水管を接続していない状態では前記温水往き枝管及び前記温水戻り枝管を閉止し、外部温水管を接続した状態では前記温水往き枝管及び前記温水戻り枝管を開放するようになっていることを特徴とする温水暖房端末装置。
【請求項２】
前記温水往き主管における前記温水往き枝管の分岐部または前記温水戻り主管における前記温水戻り枝管の分岐部に三方弁が設置されている請求項１に記載の温水暖房端末装置。
【請求項３】
温水暖房熱源機によって循環供給される温水を利用して暖房を行う温水暖房端末装置であって、
温水の循環経路を構成する温水往き主管及び温水戻り主管と、
前記温水往き主管または前記温水戻り主管のいずれか一方からそれぞれ分岐した温水往き枝管及び温水戻り枝管と、
前記温水往き主管または前記温水戻り主管における前記温水往き枝管の分岐部と前記温水戻り枝管の分岐部との間に設置された二方弁と、
前記温水往き枝管及び前記温水戻り枝管の端末に設けられた、外部温水管を接続可能な温水接続口とを備え、
前記温水接続口は、外部温水管を接続していない状態では前記温水往き枝管及び前記温水戻り枝管を閉止し、外部温水管を接続した状態では前記温水往き枝管及び前記温水戻り枝管を開放するようになっていることを特徴とする温水暖房端末装置。
【請求項４】
外部通信線を接続可能な通信接続端子を備え、
前記通信接続端子に接続された外部通信線は、前記温水暖房熱源機に中継接続されるようになっている請求項１、２または３に記載の温水暖房端末装置。
【請求項５】
運転動作を制御する制御手段と、
前記制御手段と通信可能な操作手段とを備え、
前記通信接続端子に接続された外部通信線は、前記制御手段に接続されるようになっており、
前記操作手段は、外部温水管及び外部通信線を介して、前記温水接続口及び前記通信接続端子に接続された他の温水暖房端末装置に対する操作機能を有している請求項４に記載の温水暖房端末装置。
【発明の詳細な説明】
【０００１】
【発明の属する技術分野】
この発明は、温水暖房熱源機によって生成された温水を利用して暖房を行う温水暖房端末装置に関する。
【０００２】
【従来の技術】
図６に示す温水暖房システム５０のように、温水暖房熱源機５１によって生成された温水を利用して暖房を行う温水暖房端末装置５２としては、例えば、浴室内に設置される浴室暖房乾燥機や居室内に設置されるファンコンベクタ等がある。こういった浴室暖房乾燥機やファンコンベクタ等の温水暖房端末装置５２は、浴室内や居室内の空気を循環させる循環ファンと、この循環ファンによる空気の循環経路中に配置された熱交換器とを備えており、温水暖房熱源機５１によって生成された温水を、温水配管５３ａ、５３ｂを介して熱交換器に循環供給することによって循環空気を加熱しながら、浴室内や居室内を暖房するようになっている。
【０００３】
【特許文献１】
特開平９−１０５５３０号公報
【特許文献２】
特開平１１−２５７６７９号公報
【０００４】
【発明が解決しようとする課題】
ところで、浴室には浴室暖房乾燥機が設置されているが、浴室の洗い場を補助的に暖房するために、例えば、温水暖房マットや温水暖房スノコといった温水暖房端末装置を浴室の洗い場に敷設する場合や、居室内にはファンコンベクタが設置されているが、そのファンコンベクタの能力不足によって、居室内を十分に暖房することができないので、新たなファンコンベクタを増設するような場合、浴室内や居室内に温水配管の接続口が予め設置されていなければ、図７に一点鎖線で示すように、温水暖房熱源機５１によって生成された温水を、温水暖房マットやファンコンベクタ等の新たに設置される温水暖房端末装置５４に循環供給するための温水配管５５ａ、５５ｂの付設工事を行わなければならず、新たな温水暖房端末装置５４を簡単に設置または増設することができないといった問題がある。
【０００５】
そこで、この発明の課題は、この種の温水暖房端末装置を改良することによって、室内に温水コンセント等の接続口が設置されていない場合であっても、新たな温水暖房端末装置を簡単に増設することができるようにすることにある。
【０００６】
【課題を解決するための手段及びその効果】
上記の課題を解決するため、請求項１にかかる発明は、温水暖房熱源機によって循環供給される温水を利用して暖房を行う温水暖房端末装置であって、温水の循環経路を構成する温水往き主管及び温水戻り主管と、前記温水往き主管及び前記温水戻り主管からそれぞれ分岐した、温水往き枝管及び温水戻り枝管と、前記温水往き枝管及び前記温水戻り枝管の端末に設けられた、外部温水管を接続可能な温水接続口とを備え、前記温水接続口は、外部温水管を接続していない状態では前記温水往き枝管及び前記温水戻り枝管を閉止し、外部温水管を接続した状態では前記温水往き枝管及び前記温水戻り枝管を開放するようになっていることを特徴とする温水暖房端末装置を提供するものである。
【０００７】
以上のように、この温水暖房端末装置には、外部温水管を接続するための温水接続口が設けられているので、この温水暖房端末装置が既に設置されている場合は、この温水暖房端末装置の温水接続口に、外部温水配管を介して、新たな温水暖房端末装置を接続するだけで、温水配管の付設工事を行うことなく、簡単に温水暖房端末装置の増設を行うことが可能となる。
【０００８】
特に、請求項２にかかる発明の温水暖房端末装置のように、前記温水往き主管における前記温水往き枝管の分岐部または前記温水戻り主管における前記温水戻り枝管の分岐部に三方弁が設置されているものにあっては、外部温水管を介して、温水接続口に接続された新たな温水暖房端末装置における温水循環経路に、温水の供給量を調整するための熱動弁や比例制御弁等が設けられていない場合であっても、三方弁を適宜操作することによって、２つの温水暖房端末装置の双方に温水を供給するだけでなく、いずれか一方にだけ温水を供給することが可能となり、使い勝手が向上する。
【０００９】
また、請求項３にかかる発明のように、温水暖房熱源機によって循環供給される温水を利用して暖房を行う温水暖房端末装置であって、温水の循環経路を構成する温水往き主管及び温水戻り主管と、前記温水往き主管または前記温水戻り主管のいずれか一方からそれぞれ分岐した温水往き枝管及び温水戻り枝管と、前記温水往き主管または前記温水戻り主管における前記温水往き枝管の分岐部と前記温水戻り枝管の分岐部との間に設置された二方弁と、前記温水往き枝管及び前記温水戻り枝管の端末に設けられた、外部温水管を接続可能な温水接続口とを備え、前記温水接続口は、外部温水管を接続していない状態では前記温水往き枝管及び前記温水戻り枝管を閉止し、外部温水管を接続した状態では前記温水往き枝管及び前記温水戻り枝管を開放するようになっているものにあっては、いずれか一方の温水暖房端末装置によって放熱された低温の温水が他方の温水暖房端末装置に供給されることになるので、供給しなければならない温水の温度が相互に異なる温水暖房端末装置を増設することが可能となる。
【００１０】
また、請求項４にかかる発明の温水暖房端末装置のように、外部通信線を接続可能な通信接続端子を備え、前記通信接続端子に接続された外部通信線が、前記温水暖房熱源機に中継接続されるようになっているものにあっては、この温水暖房端末装置の通信接続端子に、外部通信線を介して、新たな温水暖房端末装置を接続するだけで、新たな温水暖房端末装置と温水暖房熱源機とを直接接続する通信線の付設工事を行うことなく、温水暖房熱源機との間で通信を行う必要がある温水暖房端末装置を簡単に増設することが可能となる。
【００１１】
特に、請求項５にかかる発明の温水暖房端末装置のように、運転動作を制御する制御手段と、前記制御手段と通信可能な操作手段とを備え、前記通信接続端子に接続された外部通信線は、前記制御手段に接続されるようになっており、前記操作手段は、外部温水管及び外部通信線を介して、前記温水接続口及び前記通信接続端子に接続された他の温水暖房端末装置に対する操作機能を有しているものにあっては、１つの操作手段で複数の温水暖房端末装置を操作することができるので、使い勝手がよい。
【００１２】
【発明の実施の形態】
以下、実施の形態について図面を参照して説明する。図１は、本発明の温水暖房端末装置である浴室暖房乾燥機を使用した温水暖房システムを示している。同図に示すように、この温水暖房システム１は、屋外に設置された温水暖房熱源機１０と、浴室Ｂ内に設置された浴室暖房乾燥機２０とが、温水の循環経路を形成する外部配管３１、３２を介して接続されたものであり、温水暖房熱源機１０によって生成された温水を浴室暖房乾燥機２０に循環供給することによって、浴室Ｂ内を暖房するようになっている。
【００１３】
前記温水暖房熱源機１０は、暖房機能の他、シャワーやカラン等への給湯機能及び浴室Ｂ内に設置された浴槽（図示せず）に対する自動注湯機能や追焚機能を備えた複合給湯器であり、浴室暖房乾燥機２０に外部配管３１、３２を介して接続される、温水暖房熱源機１０の暖房系統は、充填水を加熱する熱交換器１１と、浴室暖房乾燥機２０との間で充填水を循環させる循環ポンプ１２とを備えている。なお、台所や浴室Ｂには、温水暖房熱源機１０を操作するための操作リモコン（図示せず）が設置されている。
【００１４】
前記浴室暖房乾燥機２０は、同図に示すように、浴室Ｂ内の空気を循環させる循環ファン２１と、この循環ファン２１による浴室Ｂ内の空気の循環経路中に配置された熱交換器２２とを備えており、熱交換器２２は、内部配管である温水往き主管２３ａ及び温水戻り主管２３ｂを介して、外部配管３１、３２に接続されている。
【００１５】
前記温水戻り主管２３ｂには、温水の流路を開閉する熱動弁２４が設置されており、浴室暖房乾燥機２０の運転中は、熱動弁２４がＯＮ、ＯＦＦ動作を行うことで、浴室温度が浴室設定温度になるように、熱交換器２２への温水の供給量が制御されるようになっている。
【００１６】
前記温水往き主管２３ａ及び温水戻り主管２３ｂからは、温水往き枝管２５ａ及び温水戻り枝管２５ｂがそれぞれ分岐しており、この温水往き枝管２５ａ及び温水戻り枝管２５ｂは、浴室暖房乾燥機２０のケーシングに固定設置された、温水チューブ等の外部温水管の端末に取り付けられる温水プラグを挿脱自在に挿着する温水接続口としての温水コンセント２６に接続されている。
【００１７】
この温水コンセント２６は、温水プラグを挿着していない状態では温水往き枝管２５ａ及び温水戻り枝管２５ｂからなる充填水の流路を閉止するようになっており、温水プラグを挿着した状態では温水往き枝管２５ａ及び温水戻り枝管２５ｂからなる充填水の流路を開放するようになっている。従って、この温水コンセント２６に温水プラグを挿着することによって、温水チューブ等の外部温水管を接続していなくても、この温水コンセント２６から暖房系統の充填水が流出することはない。
【００１８】
以上のように、この温水暖房システム１を構成している温水暖房端末装置としての浴室暖房乾燥機２０は、温水の循環経路を形成している温水往き主管２３ａ及び温水戻り主管２３ｂからそれぞれ分岐した温水往き枝管２５ａ及び温水戻り枝管２５ｂに接続された温水コンセント２６を有しているので、例えば、浴室Ｂの洗い場を補助的に暖房したい場合は、図２に示すように、温水暖房マット４０を浴室Ｂの洗い場に敷設し、その温水暖房マット４０から延びる、外部温水管としての温水チューブ４１ａ、４１ｂの端末に接続された温水プラグ４２を、浴室暖房乾燥機２０の温水コンセント２６に挿着するだけで、温水暖房マット４０にも温水を循環供給することが可能となる。従って、温水暖房マット４０用の温水配管を付設することなく、新たな温水暖房端末装置である温水暖房マット４０を簡単に増設することができる。
【００１９】
なお、上述した実施形態では、温水戻り主管２３ｂにおける温水戻り枝管２５ｂの分岐部より上流側に熱動弁２４を設置し、この熱動弁２４の開度を調整することによって、浴室暖房乾燥機２０に供給される温水量に対する温水暖房マット４０に供給される温水量を調整するようにしているが、これに限定されるものではなく、例えば、図３（ａ）、（ｂ）に示すように、温水往き主管２３ａにおける温水往き枝管２５ａの分岐部または温水戻り主管２３ｂにおける温水戻り枝管２５ｂの分岐部に三方弁２４ａを設置し、この三方弁２４ａの開度を調整することによって、浴室暖房乾燥機２０及び温水暖房マット４０にそれぞれ供給される温水量を調整することも可能である。
【００２０】
上述したように、熱動弁２４を使用した浴室暖房乾燥機２０に、温水の供給量を調整するための熱動弁や比例制御弁等が設けられていない温水暖房マット４０が接続された場合、温水暖房マット４０への温水の供給を個別に停止することができないので、浴室暖房乾燥機２０を運転しようとすると、必ず、温水暖房マット４０に温水が供給されることになるが、図３（ａ）、（ｂ）に示すように、熱動弁２４に代えて三方弁２４ａを使用すると、三方弁２４ａを適宜開閉操作することによって、浴室暖房乾燥機２０及び温水暖房マット４０の双方に温水を供給したり、温水暖房マット４０にだけ温水を供給したりすることができるだけでなく、浴室暖房乾燥機２０にだけ温水を供給することもできるので、浴室暖房乾燥機２０または温水暖房マット４０のいずれか一方だけを運転することが可能となり、使い勝手が向上する。
【００２１】
また、上述した各実施形態では、温水往き主管２３ａから温水往き枝管２５ａを分岐させると共に、温水戻り主管２３ｂから温水戻り枝管２５ｂを分岐させているが、これに限定されるものではなく、例えば、図４（ａ）、（ｂ）に示すように、温水往き主管２３ａまたは温水戻り主管２３ｂのいずれか一方から温水往き枝管２５ａ及び温水戻り枝管２５ｂをそれぞれ分岐させ、温水往き主管２３ａまたは温水戻り主管２３ｂにおける温水往き枝管２５ａの分岐部と温水戻り枝管２５ｂの分岐部との間に二方弁２４ｂを設置し、二方弁２４ｂの開度を調整することによって、温水暖房マット４０への温水供給量を調整することも可能である。
【００２２】
このような構成を採用すると、例えば、同図（ａ）に示す温水暖房システムでは、浴室暖房乾燥機２０の熱交換器２２によって放熱された低温の温水が温水暖房マット４０に供給され、同図（ｂ）に示す温水暖房システムでは、温水暖房マット４０によって放熱された低温の温水が浴室暖房乾燥機２０に供給されるといった具合に、いずれか一方の温水暖房端末装置によって放熱された低温の温水が他方の温水暖房端末装置に供給されることになるので、供給すべき温水の温度が相互に異なる温水暖房端末装置を増設することが可能になる。
【００２３】
また、上述した実施形態では、温水プラグ４２を挿着していない状態では温水往き枝管２５ａ及び温水戻り枝管２５ｂからなる充填水の流路を閉止し、温水プラグ４２を挿着した状態では温水往き枝管２５ａ及び温水戻り枝管２５ｂからなる充填水の流路を開放するような温水コンセント２６を設けた浴室暖房乾燥機２０について説明したが、これに限定されるものではなく、温水往き枝管２５ａ及び温水戻り枝管２５ｂの端末に、開閉バルブを介して、温水管の接続用タッピングを取り付けておくことも可能である。
【００２４】
また、上述した実施形態では、温水コンセント２６を有する浴室暖房乾燥機２０について説明したが、これに限定されるものではなく、例えば、居室内に設置されるファンコンベクタ等の温水暖房端末装置に温水コンセントを設けておくと、居室内に設置されているファンコンベクタの能力不足によって、居室内を十分に暖房することができないような場合に、新たなファンコンベクタを簡単に増設することができる。
【００２５】
また、上述した各実施形態では、温水の供給量を調整するための熱動弁や比例制御弁及びこれらを制御するコントローラ等が設けられていない温水暖房マット４０等の温水暖房端末装置を増設可能な浴室暖房乾燥機２０について説明したが、例えば、図５（ａ）に示すように、温水の供給量を調整するための熱動弁４ｂやこれを制御するコントローラ４ａが搭載されており、しかも、そのコントローラ４ａが温水暖房熱源機１０との間で通信を行うような温水暖房端末装置４を増設する場合は、同図に示すような温水暖房端末装置２を採用する必要がある。
【００２６】
この温水暖房端末装置２は、基本的に上述した浴室暖房乾燥機２０と同様の構成を備えているので、同一構成要素には同一符号を付してその説明を省略し、異なる構成要素について詳細に説明する。この温水暖房端末装置２にも、温水往き枝管２５ａ及び温水戻り枝管２５ｂと温水チューブ４１ａ、４１ｂとを接続するために、温水チューブ４１ａ、４１ｂの端末に取り付けられる温水プラグ４３を挿脱自在に挿着する温水接続口としての温水コンセント２７が設置されているが、この温水コンセント２７は、温水往き枝管２５ａ及び温水戻り枝管２５ｂと温水チューブ４１ａ、４１ｂとを接続可能な温水接続口だけでなく、外部通信線４４を接続可能な通信接続端子を備えており、この温水コンセント２７に挿着されるプラグ４３にも、温水チューブ４１ａ、４１ｂだけでなく外部通信線４４が接続されている。なお、この温水コンセント２７も、上述した温水コンセント２６と同様に、温水プラグ４３を挿着していない状態では温水往き枝管２５ａ及び温水戻り枝管２５ｂからなる充填水の流路が閉止され、温水プラグ４３を挿着した状態では温水往き枝管２５ａ及び温水戻り枝管２５ｂからなる充填水の流路が開放されるようになっている。
【００２７】
また、温水プラグ４３を介して、温水コンセント２７の通信接続端子に接続された外部通信線４４は、温水コンセント２７に接続された内部通信線２ｂを介して、温水暖房端末装置２の運転動作を統括的に制御する制御手段としてのコントローラ２ａに接続されるようになっており、このコントローラ２ａは、予め、通信線３３を介して、温水暖房熱源機１０と通信可能に接続されている。
【００２８】
以上のように構成された温水暖房端末装置２の温水コンセント２７に、同図に示すように、温水暖房端末装置４から延びる温水チューブ４１ａ、４１ｂ及び外部通信線４４の端末に接続された温水プラグ４３を挿着すると、温水暖房端末装置４にも温水を循環供給することが可能になると共に、温水暖房端末装置４に搭載されたコントローラ４ａが外部通信線４４及び温水暖房端末装置２の内部通信線２ｂを介して温水暖房端末装置２のコントローラ２ａに接続されるので、コントローラ２ａと通信線３３とを介して、温水暖房端末装置４のコントローラ４ａと温水暖房熱源機１０とが通信可能に接続されることになる。
【００２９】
従って、この温水暖房端末装置２では、温水暖房熱源機１０との間で通信を行う必要がある温水暖房端末装置４を増設する場合であっても、温水暖房端末装置２の温水コンセント２７に、温水プラグ４３を介して、温水暖房端末装置４を接続するだけでよく、温水暖房端末装置４と温水暖房熱源機１０とを直接接続する通信線の付設工事を行う必要がないので、この種の温水暖房端末装置を簡単に増設することが可能になる。
【００３０】
また、この温水暖房端末装置２は、コントローラ２ａと双方向に無線通信可能な操作手段としてのワイヤレスリモコン２８を用いて、操作することができるようになっているが、上述したように、温水暖房端末装置４が接続されると、温水暖房端末装置２のコントローラ２ａと温水暖房端末装置４のコントローラ４ａとが通信可能に接続されることによって、温水暖房端末装置２のコントローラ２ａは、温水暖房端末装置４が接続されたことを自動的に認識することができるので、コントローラ２ａが、温水暖房端末装置４が接続されたことを自動認識すると、その認識した接続内容がコントローラ２ａからワイヤレスリモコン２８に送信され、ワイヤレスリモコン２８の表示部に、温水暖房端末装置２用の操作画面だけでなく、増設された温水暖房端末装置４用の操作画面が表示されるようになり、温水暖房端末装置２を操作するワイヤレスリモコン２８を用いて、温水暖房端末装置４を操作することができるようになっている。従って、この温水暖房端末装置２では、増設される温水暖房端末装置４の操作手段としてのワイヤレスリモコン等を別途設ける必要がなく、操作性も向上する。
【００３１】
また、この温水暖房端末装置２には、その操作手段としてワイヤレスリモコン２８が使用されているが、これに限定されるものではなく、温水暖房端末装置２の操作手段は、コントローラ２ａに通信線を介して接続されたワイヤードリモコンや温水暖房端末装置２に一体化された操作部であってもよい。
【００３２】
また、この温水暖房端末装置２では、温水チューブ４１ａ、４１ｂと外部通信線４４とを同時に接続することができるように、温水接続口と通信接続端子とを有する温水コンセント２７を使用しているが、これに限定されるものではなく、外部温水管を接続するための温水接続口と外部通信線を接続するための通信接続端子とを個別に設けることも可能である。
【００３３】
また、この温水暖房端末装置２では、温水暖房端末装置４が接続されると、温水暖房端末装置２のコントローラ２ａと温水暖房端末装置４のコントローラ４ａとが通信可能に接続されるようになっているが、これに限定されるものではなく、例えば、同図（ｂ）に示すように、温水コンセント２７に接続された内部通信線２ｃやコントローラ２ａを、それぞれ独立した通信線３４、３５を介して、温水暖房熱源機１０に通信可能に接続することも可能である。ただし、このような構成を採用した場合は、温水暖房端末装置２と温水暖房端末装置４とを、それぞれ個別に操作するワイヤレスリモコン２８、４５等の操作手段を使用しなければならないことはいうまでもない。
【００３４】
また、上述した各実施形態では、温水暖房熱源機１０として、暖房機能だけでなく、給湯機能や自動お湯張り機能等を兼ね備えた複合給湯器を使用しているが、これに限定されるものではなく、暖房専用の熱源機を使用することも可能である。
【図面の簡単な説明】
【図１】この発明にかかる温水暖房端末装置の一実施形態である浴室暖房乾燥機が使用されている温水暖房システムを示す概略構成図である。
【図２】同上の温水暖房システムにおいて、温水暖房マットを増設した状態を示す概略図である。
【図３】（ａ）、（ｂ）は他の実施形態である浴室暖房乾燥機が使用されている温水暖房システムを示す概略構成図である。
【図４】（ａ）、（ｂ）は他の実施形態である浴室暖房乾燥機が使用されている温水暖房システムを示す概略構成図である。
【図５】（ａ）、（ｂ）は他の実施形態である温水暖房端末装置が使用されている温水暖房システムを示す概略構成図である。
【図６】従来の温水暖房端末装置が使用されている温水暖房システムを示す概略構成図である。
【図７】同上の温水暖房システムにおいて、新たな温水暖房端末装置を増設する場合の問題点を説明するための説明図である。
【符号の説明】
１　温水暖房システム
２、４　温水暖房端末装置
２ａ、４ａ　コントローラ
２ｂ、２ｃ　内部通信線
４ｂ　熱動弁
１０　温水暖房熱源機
１１　熱交換器
１２　循環ポンプ
２０　浴室暖房乾燥機（温水暖房端末装置）
２１　循環ファン
２２　熱交換器
２３ａ　温水往き主管
２３ｂ　温水戻り主管
２４　熱動弁
２４ａ　三方弁
２４ｂ　二方弁
２５ａ　温水往き枝管
２５ｂ　温水戻り枝管
２６　温水コンセント（温水接続口）
２７　温水コンセント（温水接続口、通信接続端子）
２８　ワイヤレスリモコン（操作手段）
３１、３２　外部配管
３３、３４、３５　通信線
４０　温水暖房マット（温水暖房端末装置）
４１ａ、４１ｂ　温水チューブ（外部温水管）
４２、４３　温水プラグ
４４　外部通信線
４５　ワイヤレスリモコン（操作手段）
【図１】
2004132585.tif 000003
【図２】
2004132585.tif 000004
【図３】
2004132585.tif 000005
【図４】
2004132585.tif 000006
【図５】
2004132585.tif 000007
【図６】
2004132585.tif 000008
【図７】
2004132585.tif 000009